(57)【要約】【課題】エレベータの制御盤内に収納された機器の過熱故障を防止することができるエレベータの運転管理装置を提供する。【解決手段】制御盤５内に設けられ、制御盤５内の機器の温度を計測する温度計測装置と、温度計測装置により計測された機器の温度が予め登録されている過熱異常温度よりも高い場合は、エレベータの運転モードを、通常運転モードから、過熱異常温度よりも高い温度の機器への負荷が通常運転モードよりも小さくなる異常運転モードに切り替える制御装置とを備えたエレベータの運転管理装置とした。【選択図】図２
2010047388.tif 000002
【特許請求の範囲】
【請求項１】
制御盤内の機器の温度を計測する温度計測装置と、
前記温度計測装置により計測された前記機器の温度が予め登録されている過熱異常温度よりも高い場合は、エレベータの運転モードを、通常運転モードから、前記過熱異常温度よりも高い温度の機器への負荷が前記通常運転モードよりも小さくなる異常運転モードに切り替える制御装置と、
を備えたことを特徴とするエレベータの運転管理装置。
【請求項２】
前記温度計測装置は、前記機器の温度熱画像を撮影し、前記温度熱画像に基づいて、前記機器の温度を計測することを特徴とする請求項１記載のエレベータの運転管理装置。
【請求項３】
前記温度計測装置は、前記制御盤内の対流温度を計測し、
前記制御装置は、前記対流温度変化量の累積を蓄積し、前記対流温度変化の累積量に基づいて、前記機器の寿命を予測することを特徴とする請求項２記載のエレベータの運転管理装置。
【請求項４】
前記制御装置は、前記機器の温度変化量の累積を蓄積し、前記温度変化の累積量に基づいて、前記機器の寿命を予測することを特徴とする請求項１〜請求項３のいずれかに記載のエレベータの運転管理装置。
【請求項５】
前記制御盤は、昇降路内に設けられたことを特徴とする請求項１〜請求項４のいずれかに記載のエレベータの運転管理装置。
【請求項６】
前記制御装置は、前記機器の温度が前記過熱異常温度よりも高い場合に、保守会社に前記機器の過熱異常に関する情報を送信することを特徴とする請求項１〜請求項５のいずれかに記載のエレベータの運転管理装置。
【請求項７】
前記制御装置は、前記機器の温度が前記過熱異常温度よりも高い場合に、前記エレベータの呼び登録を禁止することを特徴とする請求項１〜請求項６のいずれかに記載のエレベータの運転管理装置。
【請求項８】
前記制御装置は、前記機器の温度が前記過熱異常温度よりも高い場合に、前記エレベータのカゴを最寄階に停止させることを特徴とする請求項１〜請求項７のいずれかに記載のエレベータの運転管理装置。
【発明の詳細な説明】
【技術分野】
【０００１】
この発明は、エレベータの運転管理装置に関するものである。
【背景技術】
【０００２】
エレベータの制御盤内には、制御装置、主要部品等の機器が収納されている。これらの機器が動作して、エレベータが制御される。これらの機器は、動作する際に、発熱を伴う。この発熱が過剰な状態で、エレベータの運転が継続されると、機器に過剰な熱負荷がかかり、故障してしまうという問題がある。
【０００３】
ここで、過熱診断方法として、電気機器の許容温度上昇規格値及び周囲条件に基づいて前記電気機器のタイプに応じた管理温度を求める管理温度演算ステップ、並びに前記管理温度を明示し、かつ前記電気機器の赤外線熱画像データと前記管理温度を比較して前記管理温度を越えた前記電気機器の赤外線熱画像部分をマーキング処理を施して過熱診断用の画像を作成する画像作成ステップを含むものが知られている。これにより、過熱診断を合理的にでき、かつ、説得性を高くすることができる（例えば、特許文献１参照）。
【０００４】
【特許文献１】特開平６−２４１９５１号公報
【発明の開示】
【発明が解決しようとする課題】
【０００５】
しかし、特許文献１記載の過熱診断方法は、単に、電気機器の過熱診断をするだけであり、エレベータの制御盤内に収納された機器の過熱故障の防止については、考慮されていない。
【０００６】
この発明は、上述のような課題を解決するためになされたもので、その目的は、エレベータの制御盤内に収納された機器の過熱故障を防止することができるエレベータの運転管理装置を提供することである。
【課題を解決するための手段】
【０００７】
この発明に係るエレベータの運転管理装置は、制御盤内の機器の温度を計測する温度計測装置と、前記温度計測装置により計測された前記機器の温度が予め登録されている過熱異常温度よりも高い場合は、エレベータの運転モードを、通常運転モードから、前記過熱異常温度よりも高い温度の機器への負荷が前記通常運転モードよりも小さくなる異常運転モードに切り替える制御装置とを備えたものである。
【発明の効果】
【０００８】
この発明によれば、エレベータの制御盤内に収納された機器の過熱故障を防止することができる。
【発明を実施するための最良の形態】
【０００９】
この発明を実施するための最良の形態について添付の図面に従って説明する。なお、各図中、同一又は相当する部分には同一の符号を付しており、その重複説明は適宜に簡略化ないし省略する。
【００１０】
実施の形態１．
図１はこの発明の実施の形態１におけるエレベータの運転管理装置が利用されるエレベータの全体構成図である。
図１において、１は昇降路である。この昇降路１には、カゴ２が配置される。このカゴ２は、主ロープ３に支持される。この主ロープ３の一端は、巻上機４に連結される。この巻上機４は、昇降路１内のピット部に設けられる。また、昇降路１内壁には、制御盤５が設けられる。この制御盤５の中には、制御装置、主要部品（図１においては共に図示せず）等が収納される。制御装置等は、エレベータの各種動作を制御する。かかる構成により、昇降路１頂部の機械室が不要となる。
【００１１】
次に、制御盤５の詳細を説明する。
図２はこの発明の実施の形態１におけるエレベータの運転管理装置が利用されるエレベータの制御盤を示す斜視図である。
図２において、６は制御装置である。この制御装置６は、制御盤５内の一側部に収納される。７ａ〜７ｃは第１〜第３主要部品である。これらの第１〜第３主要部品７ａ〜７ｃは、制御盤５内に、スペースの有効活用を考慮して配置される。８は温度熱画像計測装置である。この温度熱画像計測装置８は、制御盤５の上板下面に設けられる。そして、温度熱画像計測装置８は、制御装置６、第１〜第３主要部品７ａ〜７ｃの熱画像を常時撮影する。そして、この熱画像に基づいて、制御装置６、第１〜第３主要部品７ａ〜７ｃの温度が計測される。
【００１２】
ここで、制御装置６には、予め、制御装置６、第１〜第３主要部品７ａ〜７ｃ毎の過熱異常温度が登録されている。そして、熱画像計測装置８により計測された制御装置６、第１〜第３主要部品７ａ〜７ｃの温度が過熱異常温度よりも高い場合、制御装置６は、これらを過熱異常と判定し、エレベータの運転モードを、通常運転モードから異常運転モードに切り替える。この異常運転モードは、過熱異常と判定された制御装置６、第１〜第３主要部品７ａ〜７ｃへの負荷が通常運転モードよりも小さくなる運転モードである。
【００１３】
次に、図３及び図４を用いて、制御装置６によるエレベータの運転モードの切り替えを、より詳細に説明する。
図３はこの発明の実施の形態１におけるエレベータの運転管理装置の制御装置が備えるデータテーブル表を示す図である。
【００１４】
図３には、制御装置６に予め登録された制御装置６、第１〜第３主要部品７ａ〜７ｃの過熱異常温度パラメータの一例が示される。図３において、左端列には、制御装置６、第１〜第３主要部品７ａ〜７ｃ、各部品の組み合わせ等、過熱異常判定対象が示される。左端から２番目の列には、データ１が示される。このデータ１には、過熱異常判定対象毎に、第１異常温度ＴＡ１〜ＴＤ１、Ｔａ１が設定される。
【００１５】
左側から３番目の列には、データ２が示される。このデータ２は、温度異常判定対象毎に、第１異常温度ＴＡ１〜ＴＤ１、Ｔａ１も高い第２異常温度ＴＡ２〜ＴＤ２、Ｔａ２が設定される。右端列には、データ３が示される。このデータ３は、温度異常判定対象毎に、第２異常温度ＴＡ２〜ＴＤ２、Ｔａ２よりも高い第３異常温度ＴＡ３〜ＴＤ３、Ｔａ３が設定される。
【００１６】
制御装置６は、制御装置６、第１〜第３主要部品７ａ〜７ｃが第１異常温度ＴＡ１〜ＴＤ１、Ｔａ１に達した場合に、保守会社に、制御装置６、第１〜第３主要部品７ａ〜７ｃの過熱異常に関する情報を送信する。また、制御装置６は、制御装置６、第１〜第３主要部品７ａ〜７ｃが第２異常温度ＴＡ２〜ＴＤ２、Ｔａ２に達した場合に、エレベータの呼び登録を禁止するとともに、保守会社に、調査が必要である旨の情報を送信する。
【００１７】
制御装置６は、制御装置６、第１〜第３主要部品７ａ〜７ｃが、第３異常温度ＴＡ３〜ＴＤ３、Ｔａ３に達した場合に、カゴ２を最寄の階で停止させるとともに、保守会社に、緊急に対処すべき異常が発生している旨の情報を送信する。
【００１８】
図４はこの発明の実施の形態１におけるエレベータの運転管理装置の動作を示すフローチャートである。
まず、ステップＳ１で、制御装置６、第１〜第３主要部品７ａ〜７ｃの温度データが入力され、ステップＳ２に進む。ステップＳ２では、制御装置６、第１〜第３主要部品７ａ〜７ｃの温度計測が開始される。ステップＳ３では、計測された温度が第１異常温度ＴＡ１〜ＴＤ１、Ｔａ１と比較して高い否かが判定される。そして、計測された温度が第１異常温度ＴＡ１〜ＴＤ１、Ｔａ１と比較して低い場合は、ステップＳ３が繰り返される。一方、計測された温度が第１異常温度ＴＡ１〜ＴＤ１、Ｔａ１と比較して高い場合は、ステップＳ４ａに進む。また、これと同時に、ステップＳ４ｂに進み、制御装置６、第１〜第３主要部品７ａ〜７ｃの過熱異常に関する情報のデータが、保守会社へ送信される。
【００１９】
ステップＳ４ａでは、計測された温度が第２異常温度ＴＡ２〜ＴＤ２、Ｔａ２と比較して高いか否かが判定される。そして、計測された温度が第２異常温度ＴＡ２〜ＴＤ２、Ｔａ２と比較して低い場合は、ステップＳ４ａが繰り返される。一方、計測された温度が第２異常温度ＴＡ２〜ＴＤ２、Ｔａ２と比較して高い場合は、ステップＳ５ａに進む。また、これと同時に、ステップＳ５ｂに進み、調査が必要である旨の情報のデータが、保守会社へ送信される。
【００２０】
ステップＳ５ａでは、計測された温度が第３異常温度ＴＡ３〜ＴＤ３、Ｔａ３と比較して高いか否かが判定される。そして、計測された温度が第３異常温度ＴＡ３〜ＴＤ３、Ｔａ３と比較して低い場合は、ステップＳ５ａが繰り返される。一方、計測された温度が第３異常温度ＴＡ３〜ＴＤ３、Ｔａ３と比較して高い場合は、ステップＳ６ａに進み、エレベータの運転が、一旦、休止される。
【００２１】
また、これと同時に、ステップＳ６ｂに進み、エレベータに異常があり、休止することを知らせるカゴ内表示、アナウンス等が行われる。さらに、これらと同時に、ステップＳ６ｃに進み、緊急に対処すべき異常が発生している旨の情報のデータが、保守会社へ送信され、ステップＳ６ｄに進む。ステップＳ６ｄでは、保守員へ現地調査するよう出動連絡がなされる。
【００２２】
その後、ステップＳ７に進み、計測された温度が第１異常温度ＴＡ１〜ＴＤ１、Ｔａ１と比較して低いか否かが判定される。計測された温度が第１異常温度ＴＡ１〜ＴＤ１、Ｔａ１と比較して高い場合は、ステップＳ７を繰り返す。一方、計測された温度が第１異常温度ＴＡ１〜ＴＤ１、Ｔａ１と比較して低い場合は、ステップＳ８に進み、通常運転が開始される。
【００２３】
以上で説明した実施の形態１によれば、熱画像計測装置８により計測された制御装置６、第１〜第３主要部品７ａ〜７ｃの温度が予め登録されている過熱異常温度よりも高い場合は、エレベータの運転モードが、通常運転モードから異常運転モードに切り替えられる。このため、過熱異常と判定された制御装置６、第１〜第３主要部品７ａ〜７ｃの過熱故障が防止される。また、これと同時に、制御装置６、第１〜第３主要部品７ａ〜７ｃの長寿命化が図られる。
【００２４】
さらに、制御盤５は、昇降路１内に設けられる。即ち、エレベータの通常運転時には、直接触れることのできない制御装置６、第１〜第３主要部品７ａ〜７ｃの過熱故障が防止される。加えて、制御装置６、第１〜第３主要部品７ａ〜７ｃの温度が第１異常温度ＴＡ１〜ＴＤ１、Ｔａ１よりも高い場合に、制御装置６が、保守会社に、制御装置６、第１〜第３主要部品７ａ〜７ｃの過熱異常に関する情報を送信する。このため、制御装置６、第１〜第３主要部品７ａ〜７ｃの過熱異常を事前に把握できる。これにより、乗客への最低限のサービスが確保される。
【００２５】
また、制御装置６、第１〜第３主要部品７ａ〜７ｃの温度が第２異常温度ＴＡ２〜ＴＤ２、Ｔａ２よりも高い場合に、制御装置６が、エレベータの呼び登録を禁止する。このため、現状、カゴ２に乗っている乗客のみにサービスし、制御装置６、第１〜第３主要部品７ａ〜７ｃへの負荷が軽減される。さらに、制御装置６、第１〜第３主要部品７ａ〜７ｃの温度が第３異常温度ＴＡ３〜ＴＤ３、Ｔａ３よりも高い場合に、制御装置６が、カゴ２を最寄階に停止させる。このため、より迅速に、制御装置６、第１〜第３主要部品７ａ〜７ｃへの負荷が軽減される。
【００２６】
なお、制御装置６で、制御装置６、第１〜第３主要部品７ａ〜７ｃの温度変化量の累積を蓄積し、温度変化量の累積量に基づいて、制御装置６、第１〜第３主要部品７ａ〜７ｃの寿命を予測し、保守会社に連絡するようにしてもよい。これにより、制御装置６、第１〜第３主要部品７ａ〜７ｃが寿命故障となる前に、迅速な交換作業が行える。また、温度熱画像計測装置８で、制御盤５内の対流温度を計測してもよい。そして、制御装置６で、対流温度に基づいて、制御装置６、第１〜第３主要部品７ａ〜７ｃの寿命を予測し、保守会社に連絡するようにしても、上記同様の迅速な交換作業が行える。
【図面の簡単な説明】
【００２７】
【図１】この発明の実施の形態１におけるエレベータの運転管理装置が利用されるエレベータの全体構成図である。
【図２】この発明の実施の形態１におけるエレベータの運転管理装置が利用されるエレベータの制御盤を示す斜視図である。
【図３】この発明の実施の形態１におけるエレベータの運転管理装置の制御装置が備えるデータテーブル表を示す図である。
【図４】この発明の実施の形態１におけるエレベータの運転管理装置の動作を示すフローチャートである。
【符号の説明】
【００２８】
１  昇降路
２  カゴ
３  主ロープ
４  巻上機
５  制御盤
６  制御装置
７ａ〜７ｃ  第１〜第３主要部品
８  温度熱画像計測装置
【図１】
2010047388.tif 000003
【図２】
2010047388.tif 000004
【図３】
2010047388.tif 000005
【図４】
2010047388.tif 000006